(57)【特許請求の範囲】
【請求項１】
片手で鼻をかむことができる携帯用ワンハンドティッシュペーパー、及び複数の前記携帯用ワンハンドティッシュペーパーを収納することができる包装体であって、
前記携帯用ワンハンドティッシュペーパーは、２枚重ねの三角形状シートからなり、前記三角形状シートの略底辺中央部に切欠きが設置されており、
前記包装体は、表面に前記携帯用ワンハンドティッシュペーパーを取り出すための穴が設置されていることを特徴とする携帯用ワンハンドティッシュペーパー及び包装体。
【発明の詳細な説明】
【技術分野】
【０００１】
本発明は、主に外出時に使用するための携帯用ティッシュペーパー、及びその包装体に関する。さらに言えば、犬の散歩中のような片手を離せない状況にある時であっても鼻をかむことができる携帯用ワンハンドティッシュペーパー、及び包装体に関する。
【背景技術】
【０００２】
ティッシュペーパーは、大きさが概ね２０ｃｍ四方で、１枚あたりが薄く柔らかく作られた紙である。鼻をかむ、化粧を拭う等の用途で使われる。素材としても柔らかいため、美術品・工芸品等の小物の包装に使われる場合もある。通常は、２枚重ねで使用するのであるが、その理由の一つとして、ティッシュペーパーには、ざらざらな裏面と肌触りの良い表面があり、２枚のティッシュペーパーの裏面同士を合わせることにより肌触りの良い表面を外側にすることで、両面とも肌触りを良くしている。外出時に使用するための携帯用のティッシュペーパーもあり、小さなビニール袋の中に折り畳んだ１０枚程度のティッシュペーパーが入っている。
【０００３】
ところで、犬の散歩中のように片手を離せない状況で鼻をかみたくなった場合、従来の携帯用ティッシュペーパーでは、掌に広げることができないため、うまく鼻をかむことができなかった。特許文献１の如く、「片手だけで折り畳んである状態の敷き又は拭きペーパーを簡単につまみとれるだけでなく、すぐにそのペーパーを広げることができる、折り畳んだ、敷き又は拭きペーパーを提供する（特許文献１：課題）。」ことを課題として、「シート状で紙製の敷き又は拭きペーパーの端の１部または複数部に切欠部をもうけ、そのペーパーを折り畳んだ状態にした時に、もうけた切欠部が表面にあらわれるようにした事を特徴とする、折り畳んだ、敷き又は拭きペーパー（特許文献１：請求項１）。」が開示されている。
【先行技術文献】
【特許文献】
【０００４】
【特許文献１】特開２００２−２９１６４６号公報
【発明の概要】
【発明が解決しようとする課題】
【０００５】
特許文献１に係る「片手で広げられる、折り畳んである敷き又は拭きペーパー（特許文献１：発明の名称）」であれば、片手で拭きペーパーを広げること、及び広げた拭きペーパーで調理場や食卓を拭いたりする作業であれば可能であると言える。しかしながら、重力に逆らいながら、しかも風が吹くこともありうる屋外において、ペーパーを片手に保持して鼻をかんだりすることは非常に困難であった。
【０００６】
本発明の目的は、犬の散歩中のように片手を離せない状況にある時であっても鼻をかむことができ、さらに三角形状シートにすることで鼻をかむのに必要が無い部分をカットすることで資源を有効に利用することができ、かつ、略掌サイズに収めることができるため、鼻をかんでいる際の見た目もスマートな携帯用ワンハンドティッシュペーパー及び包装体を提供することにある。
【課題を解決するための手段】
【０００７】
上記課題を解決するために、請求項１に記載された発明は、片手で鼻をかむことができるティッシュペーパー、及び複数の前記ティッシュペーパーを収納することができる包装体であって、前記ティッシュペーパーは、２枚重ねの三角形状シートからなり、前記三角形状シートの略底辺中央部に切欠きが設置されており、前記包装体は、表面に前記ティッシュペーパーを取り出すための穴が設置されていることを特徴とする携帯用ワンハンドティッシュペーパー及び包装体であることを特徴とするものである。
【０００８】
本発明においては、前記三角形シート状が、４枚重ねの三角形状シートである携帯用ワンハンドティッシュペーパー及び包装体であるように構成することもできる。
【発明の効果】
【０００９】
本願請求項１に係る発明によれば、犬の散歩中のように片手を離せない状況にある時であっても鼻を噛むことができ、さらに三角形状シートにすることで鼻をかむのに必要が無い部分をカットすることで資源を有効に利用することができ、かつ、略掌サイズに収めることができるため、鼻をかんでいる際の見た目もスマートな携帯用ワンハンドティッシュペーパー及び包装体を提供することができるようになった。
【００１０】
また、４枚重ねの三角形状シートにすることで、鼻水の量が多いときであっても、十分な吸収能力があり、鼻水が手につかない携帯用ワンハンドティッシュペーパー及び包装体を提供することができるようになる。
【図面の簡単な説明】
【００１１】
【図１】本発明に係る携帯用ワンハンドティッシュペーパー（ａ）、及び包装体（ｂ）の全体図である。
【図２】携帯用ワンハンドティッシュペーパーを包装体に収納する方法を説明するための全体図である。
【図３】携帯用ワンハンドティッシュペーパーの使用状態を表す図である。
【発明を実施するための形態】
【００１２】
＜携帯用ワンハンドティッシュペーパー及び包装体の構造＞
以下、本発明に係る携帯用ワンハンドティッシュペーパー１０及び包装体２０の一実施形態について、図１〜図３に基づいて詳細に説明する。図１は、本発明に係る携帯用ワンハンドティッシュペーパー１０（ａ）、及び包装体２０（ｂ）の全体図である。
【００１３】
本発明に係る携帯用ワンハンドティッシュペーパー１０は、図１（ａ）に記載したように、２枚重ねの三角形状シート３０からなり、三角形状シート３０の略底辺中央部に切欠き４０が設置されている。そして本発明に係る携帯用ワンハンドティッシュペーパー１０を収納する包装体２０は、図１（ｂ）に記載したように、表面に携帯用ワンハンドティッシュペーパー１０を取り出すための穴５０が設置されている。
【００１４】
＜携帯用ワンハンドティッシュの包装体への収納方法＞
図２は、本発明に係る携帯用ワンハンドティッシュペーパー１０を包装体２０に収納する方法を説明するための全体図である。本発明に係る携帯用ワンハンドティッシュペーパー１０を包装体２０に収納するためには、そのままでは収納することができないので折り畳む必要がある。図２に記載したように、携帯用ワンハンドティッシュペーパー１０の切欠き４０の位置が、包装体２０に設置した取り出すための穴５０の位置に重なるようにして、三角形状シート３０の先端側が下になるように折り畳む。このようにして折り畳んだ携帯用ワンハンドティッシュペーパー１０を包装体２０に収納する。同様にして、１０枚〜２０枚程度の携帯用ワンハンドティッシュペーパー１０を重ねて包装体２０に収納する。
【００１５】
＜携帯用ワンハンドティッシュの包装体の使用方法＞
図３は、本発明に係る携帯用ワンハンドティッシュペーパーの使用状態を表す図である。例えば、犬の散歩中のように片手を離せない状況にある時は、図３に記載したように包装体２０に設置された取り出すための穴５０に人差し指（その他の指でも構わないが、人差し指が最も携帯用ワンハンドティッシュペーパー１０の取り出し作業がし易いと思われる）を入れ、さらに、携帯用ワンハンドティッシュペーパー１０に設置された切欠き４０を貫通させて、人差し指で携帯用ワンハンドティッシュペーパー１０を引っ張り出すようにして取り出す。そして、図３に記載したように人差し指を携帯用ワンハンドティッシュペーパー１０の切欠き４０に貫通させたまま、鼻に当て片手で鼻をかむ。
＜携帯用ワンハンドティッシュ及び包装体の効果＞
【００１６】
本発明によれば、犬の散歩中のように片手を離せない状況にある時であっても鼻を噛むことができ、さらに三角形状シート３０にすることで鼻をかむのに必要が無い部分をカットすることで資源を有効に利用することができ、かつ、略掌サイズに収めることができるため、鼻をかんでいる際の見た目もスマートな携帯用ワンハンドティッシュペーパー１０及び包装体２０を提供することができるようになった。（例えば、鼻をかんでいることを周りに気づかせないようにすると良い場所（映画館、クラッシックコンサート会場、会議中等）において使用すると良いと考える。）さらに、４枚重ねの三角形状シート３０にすることで、鼻水の量が多いときであっても、十分な吸収能力があり、鼻水が手につかない携帯用ワンハンドティッシュペーパー１０及び包装体２０を提供することができるようになった。
【００１７】
＜携帯用ワンハンドティッシュ及び包装体の変更例＞
本発明に係る携帯用ワンハンドティッシュペーパー１０、及び包装体２０の構成は、上記した各実施形態の態様に何ら限定されるものではなく、三角形状シート３０、切欠き４０、取り出すための穴５０等の構成を、本発明の趣旨を逸脱しない範囲で、必要に応じて適宜変更することができる。例えば、携帯用ワンハンドティッシュペーパー１０の形状は三角形状シートのみならず、四角形状シート、あるいは台形形状シートであっても良い。
【産業上の利用可能性】
【００１８】
本発明に係る携帯用ワンハンドティッシュペーパー、及び包装体は、上記の如く優れた効果を奏するものであるので、主に外出時に使用するための携帯用ティッシュペーパーの分野で好適に用いることができる。
【符号の説明】
【００１９】
１０・・携帯用ワンハンドティッシュペーパー
２０・・包装体
３０・・三角形状シート
４０・・切欠き
５０・・取り出すための穴
【要約】      （修正有）【課題】片手を離せない状況にある時であっても鼻を噛むことができ、さらに三角形状シートにすることで鼻をかむのに必要が無い部分をカットすることで資源を有効に利用することができ、かつ、鼻をかんでいる際の見た目もスマートな携帯用ワンハンドティッシュペーパー及び包装体を提供する。【解決手段】片手で鼻をかむことができる携帯用ワンハンドティッシュペーパー１０、及び複数の携帯用ワンハンドティッシュペーパー１０を収納することができる包装体２０であって、携帯用ワンハンドティッシュペーパー１０は、２枚重ねの三角形状シート３０からなり、三角形状シート３０の略底辺中央部に切欠き４０が設置されており、包装体２０は、表面に携帯用ワンハンドティッシュペーパー１０を取り出すための穴５０が設置されている。【選択図】図１【図１】
0005890562.tif 000002
【図２】
0005890562.tif 000003
【図３】
0005890562.tif 000004